(57)【要約】  【課題】給水装置に関し、出口パイプの結露を防止し、冷蔵庫設置床面を濡らすのを防止する。  【解決手段】冷蔵庫本体７と、扉８と、貯水タンク９と、一端が貯水タンク９に接続され、他端が前記冷蔵庫の扉８の外部に配置される貫通パイプ１０と、冷水を取出す出口パイプ１１と、貫通パイプ１０と、出口パイプ１１とを連通するバルブ１２と、バルブ１２を開閉するレバー１３と出口パイプ１１により出口パイプを二重構造にすることによりパイプ表面を断熱し結露を防止することができる。【選択図】図１
2008039243.tif 000002
【特許請求の範囲】
【請求項１】
扉を有する冷蔵庫に備えつけられる給水装置であって、前記冷蔵庫の内部に備えられる貯水タンクと、前記貯水タンクに貯水された水を前記冷蔵庫の前記扉の外部へと移動させる一端が前記貯水タンクに接続され、他端が前記冷蔵庫の前記扉の外部に配置される貫通パイプと、冷水を取出す出口パイプと、前記貫通パイプと、出口パイプとを連通するバルブと、前記バルブを開閉するレバーにより構成され、前記出口パイプを二重構造としたことを特徴とした給水装置。
【請求項２】
前記出口パイプにヒータを貼付したことを特徴とした請求項１に記載の給水装置。
【請求項３】
前記出口パイプにフィンを付加したことを特徴とした請求項１に記載の給水装置。
【請求項４】
前記出口パイプを全体に覆うカバーを設けたことを特徴とした請求項１に記載の給水装置。
【発明の詳細な説明】
【技術分野】
【０００１】
本発明は、冷蔵庫の扉の内側に配設された貯水タンクから扉の外側へ冷水を供給する給水装置に関するものである。
【背景技術】
【０００２】
従来、この種の冷蔵庫の給水装置としては、冷蔵庫の扉の内側に貯水タンクを備え、前記給水タンクに貯水された水を前記冷蔵庫の扉の外側へと移動させるポンプと、一端が前記ポンプに接続され、他端が前記冷蔵庫の扉の外側に配置されるパイプとを有しているものがある（例えば、特許文献１参照）。
【０００３】
図８は、特許文献１に記載された従来の給水装置を示すものである。図８に示すように冷蔵庫本体１の扉２と、貯水タンク３と、キャップ４と、給水パイプ５と、給水ポンプ６とから構成されている。
【０００４】
以上のように構成された給水装置について、以下その動作を説明する。
【０００５】
まず、冷蔵庫本体１の扉２が開かれ、貯水タンク３のキャップ４が外され、水が給水される。その後、扉２が閉られ、貯水タンク３に給水された水が冷却される。冷却された冷水は、給水ポンプ６により、給水パイプ５を経由して扉２の外側へ給水される。
【特許文献１】特開２００３−２０７２６６号公報
【発明の開示】
【発明が解決しようとする課題】
【０００６】
しかしながら、上記従来の構成では、給水パイプは、冷蔵庫内から冷蔵庫外に貫通しており冷蔵庫内で冷却された給水ポンプにより、給水パイプは冷却され、冷蔵庫外に貫通して給水パイプ表面に結露し、結露水が床面に落下し、床面を濡らすという課題を有していた。
【０００７】
本発明は従来の課題を解決するもので、冷蔵庫外に貫通して給水パイプ表面の結露を防止し、床面を濡らさない給水装置を提供することを目的とする。
【課題を解決するための手段】
【０００８】
上記従来の課題を解決するために、本発明の給水装置は、扉を有する冷蔵庫に備えつけられる給水装置であって、前記冷蔵庫の内部に備えられる貯水タンクと、前記貯水タンクに貯水された水を前記冷蔵庫の前記扉の外部へと移動させる一端が前記貯水タンクに接続され、他端が前記冷蔵庫の前記扉の外部に配置される貫通パイプと、冷水を取出す出口パイプと、前記貫通パイプと、出口パイプとを連通するバルブと、前記バルブを開閉するレバーとにより構成され、出口パイプを二重構造としたものである。
【０００９】
これによって、出口パイプを二重構造としたため、出口パイプの表面は、断熱され、結露を防止するものである。
【発明の効果】
【００１０】
本発明の給水装置は、出口パイプを二重構造とすることにより、断熱され、結露を防止することができる。
【発明を実施するための最良の形態】
【００１１】
請求項１に記載の発明は、扉を有する冷蔵庫に備えつけられる給水装置であって、前記冷蔵庫の内部に備えられる貯水タンクと、前記貯水タンクに貯水された水を前記冷蔵庫の前記扉の外部へと移動させる一端が前記貯水タンクに接続され、他端が前記冷蔵庫の前記扉の外部に配置される貫通パイプと、冷水を取出す出口パイプと、前記貫通パイプと、出口パイプとを連通するバルブと、前記バルブを開閉するレバーにより構成され、前記出口パイプを二重構造としたものであり、出口パイプの表面は、断熱され、結露を防止することができる。
【００１２】
請求項２に記載の発明は、請求項１に記載の発明において、前記出口パイプにヒータを貼付したことにより、出口パイプの表面は、暖められ、結露を防止することができる。
【００１３】
請求項３に記載の発明は、請求項１に記載の発明において、前記出口パイプにフィンを付加することにより、出口パイプの表面は、外気との熱交換が促進され出口パイプの表面温度が高くなり、結露を防止することができる。
【００１４】
請求項４に記載の発明は、請求項１に記載の発明において、前記出口パイプを全体を覆うカバーを設けたものであり、出口パイプを確実にシールすることができ、結露を防止することができる。
【００１５】
以下、本発明の実施の形態について、図面を参照しながら説明する。なお、この実施の形態によってこの発明が限定されるものではない。
【００１６】
（実施の形態１）
図１は、本発明の実施の形態１における給水装置の断面図、図２は、出口パイプの要部断面図である。
【００１７】
図１、２において、冷蔵庫本体７には、扉８が取り付けられている。冷蔵庫内部の上方に冷却器１４が設置されており、冷蔵庫内部の上方の扉８には、貯水タンク９が取り付けられている。貯水タンク９には、扉８を貫通する貫通パイプ１０が取り付けられ、貫通パイプ１０と冷水を取出す出口パイプ１１が、開閉器を有するバルブ１２により接続されている。バルブ１２には、開閉器を操作するレバー１３が取り付けられている。また、出口パイプ１１のパイプ部は二重構造としている。
【００１８】
以上のように構成された給水装置について、以下その動作、作用を説明する。
【００１９】
まず、冷蔵庫本体７の冷却運転が始まると、冷却器１４が冷却される。冷却器１４前方の貯水タンク９が冷却され、冷却された水は、開閉器を有するバルブ１２に取り付けられたレバー１３を開方向（Ａ）に操作することにより、冷水は、貯水タンク９から貫通パイプ１０、開閉器を有するバルブ１２、出口パイプ１１へと流れ出る。また、レバー１３を閉方向（Ｂ）に操作することにより冷水を止める。出口パイプ１１は、二重構造としているため出口パイプ１１表面は断熱されシールされることによりパイプ内の空気は滞留することにより断熱される。また、シールされているために外気の侵入も妨げパイプ表面の結露を防止することが出来る。
【００２０】
（実施の形態２）
図３は、本発明の実施の形態２における給水装置の断面図、図４は出口パイプ近傍の拡大図である。
【００２１】
図３、４において、冷蔵庫本体７には、扉８が取り付けられている。冷蔵庫内部の上方に冷却器１４が設置されており、冷蔵庫内部の上方の扉８には、貯水タンク９が取り付けられている。貯水タンク９には、扉８を貫通する貫通パイプ１０が取り付けられ、貫通パイプ１０と冷水を取出す出口パイプ１５が、開閉器を有するバルブ１２により接続されている。そして出口パイプ１５にはヒータ１６を貼付している。バルブ１２には、開閉器を操作するレバー１３が取り付けられている。
【００２２】
以上のように構成された給水装置について、以下その動作、作用を説明する。
【００２３】
まず、冷蔵庫本体７の冷却運転が始まると、冷却器１４が冷却される。冷却器１４前方の貯水タンク９が冷却され、冷却された水は、開閉器を有するバルブ１２に取り付けられたレバー１３を開方向（Ａ）に操作することにより、冷水は、貯水タンク９から貫通パイプ１０、開閉器を有するバルブ１２、出口パイプ１５へと流れ出る。また、レバー１３を閉方向（Ｂ）に操作することにより冷水を止める。出口パイプ１５は、ヒータ１６により暖められ、結露を防止することができる。
【００２４】
（実施の形態３）
図５は、本発明の実施の形態３における給水装置の断面図、図６は出口パイプ近傍の拡大図である。
【００２５】
図５、６において、冷蔵庫本体７には、扉８が取り付けられている。冷蔵庫内部の上方に冷却器１４が設置されており、冷蔵庫内部の上方の扉８には、貯水タンク９が取り付けられている。貯水タンク９には、扉８を貫通する貫通パイプ１０が取り付けられ、貫通パイプ１０と冷水を取出す出口パイプ１７が、開閉器を有するバルブ１２により接続されている。出口パイプ１７にはフィン１７ａを付加している。バルブ１２には、開閉器を操作するレバー１３が取り付けられている。
【００２６】
以上のように構成された給水装置について、以下その動作、作用を説明する。
【００２７】
まず、冷蔵庫本体７の冷却運転が始まると、冷却器１４が冷却される。冷却器１４前方の貯水タンク９が冷却され、冷却された水は、開閉器を有するバルブ１２に取り付けられたレバー１３を開方向（Ａ）に操作することにより、冷水は、貯水タンク９から貫通パイプ１０、開閉器を有するバルブ１２、出口パイプ１７へと流れ出る。また、レバー１３を閉方向（Ｂ）に操作することにより冷水を止める。出口パイプ１７は、フィン１７ａにより外気の熱を吸収し出口パイプ１７の表面温度を上昇させ結露を防止することが出来る。
【００２８】
（実施の形態４）
図７は、本発明の実施の形態４における給水装置の断面図である。
【００２９】
図７において、冷蔵庫本体には、扉８が取り付けられている。冷蔵庫内部の上方に冷却器１４が設置されており、冷蔵庫内部の上方の扉８には、貯水タンク９が取り付けられている。貯水タンク９には、扉８を貫通する貫通パイプ１０が取り付けられ、貫通パイプ１０と冷水を取出す出口パイプ１８が、開閉器を有するバルブ１２により接続されている。バルブ１２には、開閉器を操作するレバー１３が取り付けられている。また、１９は、カバーであり、バルブ１２に設置されたシール面２０の下端に設置されている。
【００３０】
以上のように構成された給水装置について、以下その動作、作用を説明する。
【００３１】
まず、冷蔵庫本体７の冷却運転が始まると、冷却器１４が冷却される。冷却器１４前方の貯水タンク９が冷却され、冷却された水は、開閉器を有するバルブ１２に取り付けられたレバー１３を開方向（Ａ）に操作することにより、冷水は、貯水タンク９から貫通パイプ１０、開閉器を有するバルブ１２、出口パイプ１８へと流れ出る。また、レバー１３を閉方向（Ｂ）に操作することにより冷水を止める。カバー１９を（Ｃ）方向に閉じ、出口パイプ１８全体をシール面２０とカバー１９によりシールする。出口パイプ１８は、確実にシールされるため、結露を防止することができる。
【産業上の利用可能性】
【００３２】
以上のように、本発明にかかる給水装置は、出口パイプの結露を防止し、冷蔵庫設置床面を濡らすことがないため、給水器装置等の用途に適用できる。
【図面の簡単な説明】
【００３３】
【図１】本発明の実施の形態１における給水装置の断面図
【図２】本発明の実施の形態１における出口パイプの要部断面図
【図３】本発明の実施の形態２における給水装置の断面図
【図４】本発明の実施の形態２における出口パイプ近傍の拡大図
【図５】本発明の実施の形態３における給水装置の断面図
【図６】本発明の実施の形態３における出口パイプ近傍の拡大図
【図７】本発明の実施の形態４における給水装置の断面図
【図８】従来の給水装置の断面図
【符号の説明】
【００３４】
７    冷蔵庫本体
８    扉
９    貯水タンク
１０  貫通パイプ
１１、１５、１７、１８  出口パイプ
１２  バルブ
１３  レバー
１６  ヒータ
１７ａ  フィン
１９  カバー
【図１】
2008039243.tif 000003
【図２】
2008039243.tif 000004
【図３】
2008039243.tif 000005
【図４】
2008039243.tif 000006
【図５】
2008039243.tif 000007
【図６】
2008039243.tif 000008
【図７】
2008039243.tif 000009
【図８】
2008039243.tif 000010